(57)【要約】【目的】この発明は、美容室等で行う頭髪のパーマ技法においてパーマ剤の化学反応でダイオキシンなどの化学物質による室内の環境汚染や悪臭や頭髪、頭皮の酸化損傷や身体の健康阻害を防止することを目的とした、全く新しい低温パーマ技法に関するものである。【構成】還元水とフィトンチッド混入液をベースとした混合液を頭髪に噴霧してレナード現象と還元作用と気化放熱作用の相乗作用を活用してパーマを施行する基本技法であり、微細霧を噴霧する気化放熱作用で対応頭部の温度を下げ、その後の気化放熱前の普及環境温度差によりパーマ剤の化学反応を促進してパーマを施行する低温パーマ技法。【特許請求の範囲】
【請求項１】
還元水とフィトンチッド混入液をベースとした混合液を頭髪に噴霧してレナード現象と還元作用と気化放熱作用の相乗作用を活用してパーマを施行する基本技法であり、微細霧を噴霧する気化放熱作用で対応頭部の温度を下げて、その後の気化放熱前の普及環境温度差によりパーマ剤の化学反応を促進してパーマを施行する低温パーマ技法。
【請求項２】
次の具体技法による低温パーマ技法。
（イ）１液で従来の加熱ではなく、マイナスイオンの還元水とフィトンチッドをベースとした植物エキスの混合液を粒径５ミクロン以下の霧状にして頭髪に噴霧します。
（ロ）１０分程度噴霧することにより環境温度である適応頭部温度を１度〜３度程度下降させます。
（ハ）その後キャップを５分程度セットし、下がった適応頭部の温度を室内等の環境温度まで上昇させます。
（ニ）さらに２液とクエン酸の混合液を塗布した頭髪にマイナスイオンの還元水とフィトンチッドをベースとした植物エキスの混合液を粒径５ミクロン以下の霧状にして１５分程度噴霧します。
【発明の詳細な説明】
【０００１】
【発明の属する技術分野】
この発明は、美容室等で行う頭髪のパーマ技法においてパーマ剤の化学反応でダイオキシンなどの化学物質による室内の環境汚染や悪臭や頭髪、頭皮の酸化損傷や身体の健康阻害を防止することを目的とした、全く新しい低温パーマ技法に関するものである。
【０００２】
【従来の技術】
従来のパーマ技法は頭髪の整形を強化する目的でパーマ液の化学反応を促進させるため、頭髪にパーマ液をつけて加熱施行する技法であった。
【０００３】
具体技法の一例を述べれば、
従来の加熱パーマ技法は１液の化学反応は吸熱反応であるため熱が必要であり、化学反応を促進させるために熱を加えれば加えるほど化学反応が強く、頭皮内の温度はキャップを行うことで温度が３０度前後になり、スチーマなどの加温機を利用すれば化学反応温度が４０度〜５０度程度となるし、ウェーブ剤は薬事法で加温する場合の加温２浴式での規制範囲がある、すなはち加温２浴式パーマネントウェーブ剤ではチオグリコール酸１％〜５％、アルカリ度５ｍｌ以下、ＰＨ４．５〜９であり、この規制された液を使用し１液を頭髪に塗布し１０分〜１５分の時間内にキャップを施し適応頭部の体熱を上げ、さらに加熱し４０度〜５０度のラウリル、トリメチルアンモニウムなどの界面活性剤を使用して、さらに酸化を促進しているため、頭髪のケラチンの分解によるアミノ酸が溶出し頭髪は変性しアミノ酸組成に変化を生じている。
【０００４】
尚、この加熱２浴式パーマネントウェーブ剤以外のパーマ剤にも同様に加熱して使用している。
【０００５】
【発明が解決しようとする課題】
従来の加熱パーマ技法においては、パーマ液を加熱して化学反応を促進させているため次の課題がある。
（イ）毒性の高いダイオキシンや気管支喘息のアレルギンと言われているパラフェニレンジアミンやモノエタノールアミンなどの化学物質が発生する。
（ロ）加熱での酸化促進作用により頭髪に異常なアミノ酸を生成し毛髪の吸水性が損なわれ頭皮、毛髪の乾燥を引き起こす。
【０００６】
（イ）美容室内は化学物質による環境汚染や悪臭が酷く室内で従事する美容師や多数のお客様の健康を阻害しています。
（ロ）頭皮、毛髪の乾燥により脱毛、フケ、痒み、抜け毛、髪の弾力性不足など異常が起きています。
（ハ）パーマ液等の化学物質は殆どが生態系内の循環の中で水に溶けない化学物質であり排出される河川や海や強いては地球環境を汚染しています。
【０００７】
【問題を解決するための手段】
その課題を解決するための技法は従来技法とは全く相反するもので、還元水とフィトンチッド混入液をベースとした液を頭髪に噴霧してレナード現象と還元作用と気化放熱作用の相乗作用によりパーマを施行する低温パーマ技法であり、具体方法を説明すれば、
（イ）１液で従来の加熱ではなく、マイナスイオンの還元水とフィトンチッドをベースとした植物エキスの混合液を粒径５ミクロン以下の霧状にして頭髪に噴霧します。
（ロ）１液が頭髪に化学反応した時に軽イオンのガス分子が発生し悪臭が漂うが、フィトンチッドをベースとした植物エキスの噴霧により毛髪の成分であるアミノ酸に変化して消臭されます。
（ハ）１０分程度噴霧する作用で環境温度である適応頭部温度を１度〜３度下げます。
（ニ）その後キャップを５分程度セットし、下がった頭部の適応温度を通常の環境温度に上げます。
（ホ）この普及温度差による自然的な発熱作用により頭髪が瞬時に酸化から還元作用を行います。
（ヘ）さらに２液とクエン酸の混合液を塗布した毛髪にマイナスイオンの還元水とフィトンチッドをベースとした植物エキスの混合液を粒径５ミクロン以下の霧状にして１５分程度噴霧することにより、２液の悪臭であるアミン類がこの噴霧液と反応してアミノ酸に変わるため、従来技法のようにケラチンの分解によるアミノ酸の溶出が起きることなく、異常なアミノ酸を生成することもなく、正常毛質の状態にてパーマをかける低温パーマ技法である。
【０００８】
【作用】
本発明の低温パーマ技法の作用を述べると、
（イ）マイナスイオンの還元水とフィトンチッドをベースとした植物エキスの混合液を霧状にして毛髪に噴霧することにより、１液が毛髪に化学反応した時に発生した悪臭を毛髪の成分であるアミノ酸に変化して消臭されます。
（ロ）１０分程度噴霧する作用と、その後キャップを５分程度セットした温度差による自然的な発熱作用により頭髪が瞬時に酸化から還元作用を行います。
（ハ）さらに２液とクエン酸の混合液を塗布した頭髪に還元水とフィトンチッドをベースとした植物エキスの混合液を１５分程度噴霧することにより、２液の悪臭であるアミン類がこの噴霧液と反応してアミノ酸に変わるため、ケラチンの分解によるアミノ酸の溶出が起きることなく、異常なアミノ酸を生成することなく、正常毛の状態にてパーマをかける作用である。
【０００９】
【発明の実施の形態】
具体実施例を述べる、
（イ）フィトンチッドをベースとした植物エキスは葉緑素・パントテン酸・アミノ酸・各種ビタミン・精油等を含む。
（ロ）マイナスイオンの還元水はトルマリン石などをベース素材とした溶融水である。
（ハ）フィトンチッドをベースとした植物エキスとマイナスイオンの還元水の混合液における植物エキスの割合は０．１％〜５％程度の範囲として用途に応じた濃度とする。
（ニ）粒径５ミクロン以下の超微霧の噴霧機器は超音波霧化器とする。
（ホ）還元水とフィトンチッド液をベースとした混合液と超音波霧化機器を組み合わせた構成を特徴とします。
【００１０】
【発明の効果】
本発明の低温パーマ技法は、従来の加熱パーマ技法の１液での酸化作用、および２液の界面活性剤によるさらなる酸化という酸化促進技法を標準化していた美容業界の理論を全く覆す逆説的技法であり、１液での還元作用、さらに２液での還元毛髪再生効果などがベースであり、その具体効果を列記すれば、
（イ）パーマをかけることにより毛髪や頭皮を損傷させることなく、逆に傷んだ毛髪を還元して健康毛にする効果が期待できます、すなはち毛髪はアミノ酸欠乏などによる乾燥はなくなるし、それによって毛髪が傷むこともなくなりますし、逆に必要なアミノ酸を補充し健全な毛髪に生成します。
（ロ）頭皮、毛髪の乾燥による脱毛、フケ、痒み、抜け毛、髪の弾力性不足などがなくなります。
（ハ）化学物質の中和分解により環境ホルモンの発生を抑えます。
【００１１】
この低温パーマ技法はパーマをかける技法に止まらず、マイナスイオンの還元水とフィトンチッドをベースとした植物エキスの混合液を噴霧することにより森林浴が充満し美容室内の化学物質をも分解し懸案であった悪臭なども消臭でき環境改善と美容師と多数のお客様の健康促進に有効に作用します。
【００１２】
また従来、潤いのある毛髪に仕上げることを目的としたリンス、トリートメントなどの必要もなくなり経済的効果ばかりか地球を対象とした環境改善にも有効に作用します。
【００１３】
毛髪を還元させてパーマを施行する技術は世界初であり、毛髪を傷めず毛髪を育成し、環境を改善し、健康を促進し、経済的にも有効な画期的なパーマ技法であります。
【００１４】
総合しますと低温パーマ技法によりパーマ剤の化学反応による酸化作用が還元作用となり、美容室内の化学物質を分解し悪臭を消臭し、パーマ時には頭髪の成分を損傷させず、毛髪に必要なアミノ酸を補充し、美容室内にはフィトンチッドによる森林浴効果と噴霧作用でのレナード現象によるマイナスイオンが多量に発生し健康の促進と癒し効果を成すものであり、理想的な２１世紀型美容院を誕生させ、今世紀の美容業界の転換技術を成しえるものであり、強いては地球環境と人類の救世主的役割を果たすものであります。